(57)【要約】【課題】キャリッジに紫外線ランプを搭載する構成の場合は、キャリッジの重量が大きくなり、キャリッジを駆動するための装置が大型化し、プリンタ全体も大型化してしまうという課題があった。【解決手段】キャリッジには外部から照射された紫外線の光路を変更して記録媒体に照射することのできる光路変更部を搭載し、キャリッジの外部には紫外線光源を配置することで、キャリッジを小型軽量化し、キャリッジを駆動するための装置を小型化できる。また、記録媒体上の紫外線の照射範囲に対応して光源側で紫外線の光路を予め変更し、キャリッジに搭載する光路変更部を介して紫外線を照射する構成とし、記録媒体上の異なる位置に紫外線光を照射制御する。【選択図】  図１
2011126268.tif 000002
【特許請求の範囲】
【請求項１】
記録媒体に沿って移動するキャリッジに搭載され、前記記録媒体上に紫外線硬化インクを吐出するヘッドと、
前記キャリッジに搭載され、外部から照射された紫外線の進行方向を変更し、前記記録媒体に向けて前記紫外線を照射する紫外線照射部と、
前記キャリッジの外部であって前記キャリッジの移動方向の延長線上に配置され、前記紫外線照射部に前記紫外線を照射する光源部と、を有する記録装置において、
前記光源部は前記キャリッジの移動方向に対して一方側であって前記記録媒体の記録領域の外側に配置され、
前記紫外線照射部は少なくとも第１紫外線照射部と第２紫外線照射部とを有し、前記ヘッドの前記キャリッジの移動方向の一方側に前記第１紫外線照射部が配置され、前記ヘッドの前記キャリッジの移動方向の他方側に前記第２紫外線照射部が配置され、
前記光源部は、前記第１紫外線照射部と前記第２紫外線照射部に前記紫外線を照射することを特徴とする記録装置。
【請求項２】
前記光源部は、少なくとも前記紫外線照射部の前記記録媒体に対する位置と前記キャリッジの進行方向とに基づいて、前記第１紫外線照射部と前記第２紫外線照射部に照射する前記紫外線を制御することを特徴とする請求項１に記載の記録装置。
【請求項３】
前記第１紫外線照射部の受光部と前記第２紫外線照射部の受光部は、前記記録媒体から
の距離が異なり、夫々の受光部はお互いが前記光源部からの前記紫外線の照射を遮らない位置に配置されていることを特徴とする請求項２に記載の記録装置。
【請求項４】
前記ヘッドは前記キャリッジの進行方向に沿って前記紫外線硬化インクに応じて複数のヘッドを有し、前記紫外線照射部は複数の前記ヘッド個々に対して該ヘッドを挟む位置に配置されていることを特徴とする請求項３に記載の記録装置。
【請求項５】
前記光源部は、前記第１紫外線照射部と前記第２紫外線照射部とに照射する前記紫外線を、前記紫外線の光源を分割し、分割された該光源から前記第１紫外線照射部または前記第２紫外線照射部のどちらかに前記紫外線を照射することを特徴とする請求項２に記載の記録装置。
【請求項６】
前記光源部は、分割された前記光源から照射された前記紫外線の光路を変更する光路変更手段を有し、前記第１紫外線照射部または前記第２紫外線照射部の一方から、前記光路変更手段によって前記光路を変更された前記紫外線を加えて照射することを特徴とする請求項５に記載の記録装置。
【請求項７】
前記光源部の前記紫外線の光源は、前記紫外線を発光するＬＥＤであることを特徴とする請求項５に記載の記録装置。
【請求項８】
前記光源部の前記紫外線の光源は、前記紫外線を発光するランプであることを特徴とする請求項２に記載の記録装置。
【請求項９】
前記光源部は、放熱手段と、前記ランプからの前記紫外線を前記光源部の外に照射するか否かを制御するシャッタと、前記ランプから前記シャッタまでの光路に紫外線透過フィルタとを備え、前記光源部から前記紫外線透過フィルタを通過した光を照射し、前記ランプによって加熱された前記光源部を前記放熱手段によって放熱することを特徴とする請求項８に記載の記録装置。
【請求項１０】
前記光源部は、紫外線照射ＬＥＤと可視光照射ＬＥＤを有し、前記紫外線照射ＬＥＤと可視光照射ＬＥＤの点灯及び消灯の制御が可能であることを特徴とする請求項２から請求項６の何れか１項に記載の記録装置。
【発明の詳細な説明】
【技術分野】
【０００１】
本発明は、紫外線照射装置を搭載した記録装置に関する。
【背景技術】
【０００２】
キャリッジの移動に伴い記録媒体に紫外線硬化型インクを吐出し、記録媒体に着弾したインクに紫外線を照射して硬化定着させる記録装置がある。これは、一般にＵＶインクジェットプリンタと呼ばれている。従来のＵＶインクジェットプリンタは、インクジェットヘッドを搭載したキャリッジに紫外線ランプを搭載したものが知られている。しかし、このタイプのＵＶインクジェットプリンタは、キャリッジの大型化の問題があった。その問題を解決す為に例えば、特開２００３−１２７３３９号公報には、紫外線光源をキャリッジとは別体に配し、紫外線光源からキャリッジまでの空間を介して紫外線を誘導し、キャリッジに到達した紫外線をプリズムで進行方向を変えて記録媒体に照射する技術が開示されている。
【先行技術文献】
【特許文献】
【０００３】
【特許文献１】特開２００３−１２７３３９号公報
【発明の概要】
【発明が解決しようとする課題】
【０００４】
しかしながら従来の技術では、キャリッジの移動方向の片方側端だけに紫外線光の向きを記録媒体側に変えるプリズムが配置されている。このような構成では、インクを吐出した直後にその着弾したインクに紫外線を照射する場合に、キャリッジの往路か復路の一方のみに移動しているときしか照射することができない。記録媒体にインクが着弾してから紫外線が照射されるまでの時間が、往路と復路で異なると、インクの広がり方などの硬化の具合が異なり画質に影響が現れる。
【０００５】
また、別の位置に照射させるようにする場合には、プラテンの両側に照射システムが必要になり、光源も２箇所になり、プリンタ自体も大型化してしまうという問題があった。
【課題を解決するための手段】
【０００６】
このような課題に対して、本願発明は、１箇所の光源によって、キャリッジの往路と復路両方において、記録媒体へ着弾直後のインクに紫外線照射することができる記録装置を提供する。
【０００７】
本願発明は、記録媒体に沿って移動するキャリッジに搭載され、前記記録媒体上に紫外線硬化インクを吐出するヘッドと、前記キャリッジに搭載され、外部から照射された紫外線の進行方向を変更し、前記記録媒体に向けて前記紫外線を照射する紫外線照射部と、前記キャリッジの外部であって前記キャリッジの移動方向の延長線上に配置され、前記紫外線照射部に前記紫外線を照射する光源部と、を有する記録装置において、前記光源部は前記キャリッジの移動方向に対して一方側であって前記記録媒体の記録領域の外側に配置され、前記紫外線照射部は少なくとも第１紫外線照射部と第２紫外線照射部とを有し、前記ヘッドの前記キャリッジの移動方向の一方側に前記第１紫外線照射部が配置され、前記ヘッドの前記キャリッジの移動方向の他方側に前記第２紫外線照射部が配置され、前記光源部は、前記第１紫外線照射部と前記第２紫外線照射部に前記紫外線を照射することを特徴とする記録装置である。
【０００８】
また上述の記録装置は、前記光源部は、少なくとも前記紫外線照射部の前記記録媒体に対する位置と前記キャリッジの進行方向とに基づいて、前記第１紫外線照射部と前記第２紫外線照射部に照射する前記紫外線を制御することもできる。
【発明の効果】
【０００９】
本願発明によれば、キャリッジ外に配置された１箇所の紫外線光源によって、キャリッジの往路および復路の両方の方向にキャリッジが移動しても、インクを着弾させてからどちらの方向に移動中でも同様に紫外線を照射することができ、印字の高速化ができる。また、紫外線光源はキャリッジの移動方向の一方側の１箇所に配置するので装置の小型化及びキャリッジの小型化ができる。
【図面の簡単な説明】
【００１０】
【図１】図１は、本発明の記録装置の正面方向から見た概略図である。
【図２】図２は、紫外線照射装置を上方向から見た概略図である。
【図３】図３は、紫外線照射装置部分のブロック図である。
【図４】図４は、本発明の記録装置のブロック図である。
【図５】図５は、紫外線照射の制御フローチャートである。
【図６】図６は、光路変更手段を説明するための概略ブロック図である。
【図７】図７は、紫外線照射装置のキャリッジ部分の他の例を示す概略図である。
【図８】図８は、紫外線照射装置の光源部分の他の例を示す概略図である。
【図９】図９は、光路に光ファイバを使用した例を示す概略図である。
【発明を実施するための形態】
【００１１】
図面を用いて、本発明の実施形態を説明する。
図１は、本発明の記録装置の正面方向から見た概略図である。記録装置の例としてインクジェットプリンタ１を用いて説明する。基台２にはプラテン３が固定されている。プラテン３は記録媒体２７を支持し、印字中に記録媒体２７を平坦に保つ。キャリッジ４には、黒、シアン、マゼンタ、イエローの各色のインクを吐出するインクジェットヘッド、すなわちＫヘッド１１、Ｃヘッド１２、Ｍヘッド１３、Ｙヘッド１４が搭載されている。さらに、キャリリッジ４には、第１光路変更手段１９を内蔵する第１光路変更部１８と第１光路変更部１８によって光路が変更された光を導く第１光路部２４と、第２光路変更手段２２を内蔵する第２光路変更部２１と第２光路変更部２２によって光路が変更された光を導く第２光路部２５とを備える。第１光路変更部１８と第１光路部２４とを少なくとも第１紫外線照射部は有する。第２光路変更部２１と第２光路部２５とを少なくとも第２紫外線照射部は有する。また、キャリッジ４には、エンコーダ２６が備えられ、リニアスケール８の目盛をカウントする。このカウントに基づいて、キャリッジ４の位置およびキャリッジ４に搭載されている装置の位置を制御回路５０が把握することができる。
【００１２】
Ｋヘッド１１、Ｃヘッド１２、Ｍヘッド１３、Ｙヘッド１４から夫々の色の紫外線硬化型インクを吐出する。
【００１３】
キャリッジ４は、ベルト５に接続されている。ベルト５はモータ７とプーリー９に掛け回されている。モータ７の回転によってベルト５が回転し、キャリッジ４が移動する。キャリッジ４の移動は、直線状のレール６に沿って移動する。キャリッジ４の移動方向はレール６に沿って移動する。キャリッジ４の移動方向の一方側に第１紫外線照射部が配置され、他方側に第２紫外線照射部が配置されていることになる。
【００１４】
基台２にはメンテナンス部１０が備えられ、インクジェットヘッドの清掃等のメンテナンスを行う。
【００１５】
光源部１５は、紫外線光源１６を備える。さらに光源部１５は、紫外線光源１６からの紫外線を平行光線にして、紫外線照射部の受光部に向けて、すなわち第１光路変更部１８
または第２光路変更部２１の受光部に向けて、照射する平行光変更手段１７を備える。紫外線光源１８から発生した紫外線は集光手段２８によって平行光変更手段１７に集められる。平行光変更手段１７からの紫外線は、第１光路変更部１８に照射される紫外線２０と、第２光路変更部２１に照射される紫外線２３に分かれる。光源部１５は、記録媒体２７の記録領域の外側に配置されている。
【００１６】
第１光路変更部１８は第２光路変更部２１よりプラテン３から離れる方向に配置される。このように互い違いに配置することで、夫々の光路を塞ぐことがない。
【００１７】
このように、光源１６からの紫外線を、２以上の平行光線にする。そして、夫々の平行光線を夫々受光して紫外線の照射方向を記録媒体２７の方向に変更する手段によって、光路を変更する。キャリッジ４の進行方向前後に紫外線を照射するように、第１光路変更部１８と第２光路変更部２１を配置している。これによって、インクは印字直後にどちらかの紫外線を受けることができる。
【００１８】
次に図２は、紫外線照射装置を上方向から見た概略図である。図１において正面から見た第１光路変更部１８と第２光路変更部２１の奥にさらに第３光路変更部３１と第４光路変更部２９が備わっている。第３光路変更部３１と第４光路変更部２９は、記録媒体２７の搬送方向下流側に位置する。第３光路変更部３１と第４光路変更部２９の構成は第１光路変更部１８と第２光路変更部２１と同様である。光源部１５からの紫外線は、第３光路変更部３１に照射される紫外線３０と、第４光路変更部２９に照射される紫外線３２にさらに分かれている。第３光路変更部３１と第４光路変更部２９によって向きを変えられた紫外線は印字後、搬送された部分のインクに対して紫外線を照射することになる。より完全に紫外線によって定着させる為である。
【００１９】
図３は、紫外線照射装置部分のブロック図である。光源部１５内の光源がＬＥＤである場合の例である。ＬＥＤ５９は、各光路変更部１８、２１、２９、３１に向けて夫々第１ＬＥＤ群５５、第２ＬＥＤ群５６、第３ＬＥＤ群５７、第４ＬＥＤ群５８に発光機能が分かれている。第１ＬＥＤ群５５、第２ＬＥＤ群５６、第３ＬＥＤ群５７、第４ＬＥＤ群５８から発光される紫外線は、夫々第１平行光変更手段６０、第２平行光変更手段６１、第３平行光変更手段６２、第４平行光変更手段６３によって平行光にされる。平行光にされた紫外線はそれぞれ、第１光路変更部１８、第２光路変更部２１、第３光路変更部３１と第４光路変更部２９に照射される。好ましくは、ＬＥＤは１枚の基板上に配置され、夫々のＬＥＤ群は基板上の位置によって夫々のＬＥＤ群を形成することである。
【００２０】
第１ＬＥＤ群５５、第２ＬＥＤ群５６、第３ＬＥＤ群５７、第４ＬＥＤ群５８は夫々第１ＬＥＤ群駆動回路５１、第２ＬＥＤ群駆動回路５２、第３ＬＥＤ群駆動回路５３、第４ＬＥＤ群駆動回路５４に接続され駆動される。第１ＬＥＤ群駆動回路５１、第２ＬＥＤ群駆動回路５２、第３ＬＥＤ群駆動回路５３、第４ＬＥＤ群駆動回路５４は制御回路５０に接続され、制御回路５０によって制御される。
【００２１】
第１ＬＥＤ群５５、第２ＬＥＤ群５６、第３ＬＥＤ群５７、第４ＬＥＤ群５８は互いの光をさえぎる第１遮蔽部６４、第２遮蔽部６５、第３遮蔽部６６、第４遮蔽部６７によって覆われている。
【００２２】
図４は、本発明の記録装置のブロック図である。
制御回路５０は、ＲＯＭ６８に記憶されたプログラムに従って動作し、各種演算、制御を行う。ＲＯＭ６８は不揮発性メモリであり、プログラムや初期設定値などを記憶している。ＲＡＭ６９は、ランダムアクセスメモリであり、制御回路５０のワークエリアやデー
タの一時記憶などをするメモリである。
【００２３】
第１ＬＥＤ群５５、第２ＬＥＤ群５６、第３ＬＥＤ群５７、第４ＬＥＤ群５８は夫々第１ＬＥＤ群駆動回路５１、第２ＬＥＤ群駆動回路５２、第３ＬＥＤ群駆動回路５３、第４ＬＥＤ群駆動回路５４に接続され駆動される。第１ＬＥＤ群駆動回路５１、第２ＬＥＤ群駆動回路５２、第３ＬＥＤ群駆動回路５３、第４ＬＥＤ群駆動回路５４は制御回路５０に接続され、制御回路５０によって制御される。
【００２４】
ここで、各ＬＥＤ群に別々の発光色の可視光照射ＬＥＤとＵＶ（紫外線）照射ＬＥＤとを混在させて配置することができる。可視光照射ＬＥＤは同色の発光色でも良いが分けた方が見やすくなるので好ましい。第１ＬＥＤ群５５にはＵＶ照射ＬＥＤと赤色光照射ＬＥＤ、第２ＬＥＤ群５６にはＵＶ照射ＬＥＤとオレンジ色光照射ＬＥＤ、第３ＬＥＤ群５７にはＵＶ照射ＬＥＤと黄色光照射ＬＥＤ、第４ＬＥＤ群５８にはＵＶ照射ＬＥＤと緑色光照射ＬＥＤを配置する。このとき各ＬＥＤ群駆動回路は、可視光ＬＥＤとＵＶ照射ＬＥＤとを同時または切替えて照射可能に回路が分かれている。また、各ＬＥＤの点灯消灯の制御は制御回路５０によって行うことができる。このように構成することで、ＵＶ光を消灯し、可視光を点灯することで、ＵＶ光に被爆せずに安全に各ＬＥＤ群の光線の光路を確認することができる。さらに各ＬＥＤ群に別々の色の可視光照射ＬＥＤを用いているので、各ＬＥＤ群に対して光路の確認ができる。光路に問題がある部分が容易に把握できるので、光路に関して修理等の作業が容易にできるようになる。例えば、ミラー、レンズ等の位置変更、角度変更が容易に行うことができる。
【００２５】
ヘッド駆動回路７０にはＫヘッド１１、Ｃヘッド１２、Ｍヘッド１３、Ｙヘッド１４が接続され、制御回路５０によってヘッド駆動回路７０が制御され、各色のヘッドが駆動される。
【００２６】
制御回路５０には、キャリッジ駆動回路７１が接続され、制御回路５０によって制御される。キャリッジ駆動回路７１はキャリッジ４を移動するためのモータ７を駆動する。
【００２７】
制御回路５０には、位置検出回路７２が接続されている。制御回路５０によって位置検出回路７２が制御され、エンコーダ２６によってリニアスケール８の目盛に対応した出力をカウントし、キャリッジ４の位置を制御回路５０が取得する。
【００２８】
制御回路５０には、搬送モータ駆動回路７３が接続され、制御回路５０によって制御される。搬送モータ駆動回路７３は記録媒体２７を駆動するための搬送モータ７４に接続されている。制御回路５０は搬送モータ駆動回路７３を制御し、プログラムに従って搬送モータ７４を動作させる。
【００２９】
制御回路５０には、光路変更手段駆動回路７５が接続され、制御回路５０によって制御される。光路変更手段７６は、各ＬＥＤ群５５、５６、５７、５８から照射される紫外線を各平行光変更手段６０、６１、６２、６３の何れかに向きを変更して照射させる手段である。レンズ、ミラー、シャッタおよびこれらの光学系の物を移動させるモータから構成される。光路変更駆動回路７５はこのモータを駆動する。制御回路５０は光路変更駆動回路７５を制御し、所望の光源かららの紫外線を集めて照射できるように制御している。例えば、第１ＬＥＤ群５５と第２ＬＥＤ群５６からの紫外線を、第１平行光変更手段６０から照射すると、２倍の紫外線を第１光路変更部１８を介して、記録媒体２７に照射することができる。同様の手段が各ＬＥＤ群５５、５６、５７、５８と各平行光変更手段６０、６１、６２、６３の間に配置されている。このように光路を変える構成をキャリッジ外に配置することで、キャリッジの重量を軽減できる。
【００３０】
図５は、紫外線照射の制御フローチャートである。
記録媒体２７に紫外線を照射する制御を開始する（ステップＳ１）。記録媒体２７上以外に紫外線を照射させない為に、紫外線照射部が記録媒体２７上であるか判断する（ステップＳ２）。これは、リニアスケール８とエンコーダ２６によって、キャリッジ４の位置が分かり、記録媒体２７の幅は予め記憶されているので、それらを比較することで判断する。
【００３１】
ここで、好ましくは記録媒体２７上であって、さらに紫外線硬化型インクによる記録領域であるか否かを判断し、記録領域以外では紫外線を照射しないように制御することである。
【００３２】
記録媒体２７以外すなわちステップＳ２でＮＯであれば、紫外線の照射を停止する（ステップＳ５）。これは、光源がＬＥＤならばこのＬＥＤを消灯し、光源がランプならばシ
ャッタによって光路を遮断する。
【００３３】
ステップＳ２でＹＥＳであれば、ステップＳ３に進む。ステップＳ３では、印字のスピード、出力画像の光沢感や粒状感など所望の印字種類などが、予め指定されているので、その指定した出力画像の種類に応じて、紫外線を照射する位置と量を選択する。
【００３４】
次にステップＳ４では、記録媒体２７に照射する紫外線の位置と量の指定に基づいて、制御回路５０を制御し、所望の位置と量の紫外線を照射する。例えば、第１光路変更部１８、第２光路変更部２１、第３光路変更部３１、第４光路変更部２９のどこに光源部１５からの紫外線を照射するか制御する。光路変更手段７６によって、どの紫外線照射部に幾つのＬＥＤ群から照射するかを制御することができる。１つのＬＥＤ群からなら通常の照射であり、２つのＬＥＤ群からなら２倍の紫外線が照射されることになる。
紫外線の照射が終了すると、紫外線照射処理を終了する（ステップＳ６）。
【００３５】
図６は、光路変更手段を説明するための概略ブロック図である。図６では、光源として第１ＬＥＤ群５５と第２ＬＥＤ群５６、紫外線の出力先を第１平行光変更手段６０と第２平行光変更手段６１を例として用い説明する。同様の構成を全てのＬＥＤ群と平行光変更手段に用いることができるが、そのうちの２つを用いて説明する。
【００３６】
光路変更手段７６は、シャッタ部７８、光路選択手段７７、７９を有する。また好ましくは、光路変更手段７６は少なくとも光路選択手段を有し、シャッタ部は必要に応じて有する。シャッタ部７８は閉じていると、隣接している空間の紫外線が漏れないようにしている。すなわち、第１ＬＥＤ群５５の紫外線が第２平行光変更手段６１側に漏れず、第２ＬＥＤ群５６の紫外線が第１平行光変更手段６０側に漏れない。シャッタ部７８は、制御回路５０の制御に基づいて光路変更手段駆動回路７５によって駆動される。
【００３７】
第１光路選択手段７７は、第１ＬＥＤ群５５からの紫外線を第１平行光変更手段６０へ出力するか、他に出力するか選択する。ここでは、第１平行光変更手段６０へ出力するか、第２光路選択手段７９を介して第２平行光変更手段６１へ出力するかを選択する。第１平行光変更手段６０へ出力する場合は、第１ＬＥＤ群５５の紫外線が、第１平行光変更手段６０へ入射され、このときシャッタ部７８は閉じることになる。第２平行光変更手段６１へ出力する場合は、第１ＬＥＤ群５５と第２ＬＥＤ群５６の紫外線が、第２平行光変更手段６１へ入射されることになる。このときシャッタ部７８は開かれている。第１光路選択手段７７は、制御回路５０の制御に基づいて光路変更手段駆動回路７５によって駆動される。
【００３８】
第２光路選択手段７９は、第２ＬＥＤ群５６からの紫外線を第２平行光変更手段６１へ出力するか、他に出力するか選択する。ここでは、第２平行光変更手段６１へ出力するか、第１光路選択手段７７を介して第１平行光変更手段６０へ出力するかを選択する。第２平行光変更手段６１へ出力する場合は、第２ＬＥＤ群５６の紫外線が、第２平行光変更手段６１へ入射され、このときシャッタ部７８は閉じることになる。第１平行光変更手段６０へ出力する場合は、第１ＬＥＤ群５５と第２ＬＥＤ群５６の紫外線が、第１平行光変更手段６０へ入射されることになる。このときシャッタ部７８は開かれている。第２光路選択手段７９は、制御回路５０の制御に基づいて光路変更手段駆動回路７５によって駆動される。
【００３９】
このように、紫外線を照射する方向を制御することで、記録媒体に照射する位置と量を制御できる。このとき、キャリッジ４では何も制御することはしないので、キャリッジ４の構成を変える必要はなく、制御の為の構成を加える必要も無い。
【００４０】
図７は、紫外線照射装置のキャリッジ部分の他の例を示す概略図である。
Ｋヘッド１１、Ｃヘッド１２、Ｍヘッド１３、Ｙヘッド１４夫々のヘッドに対応して紫外線を照射する例である。図１の第１光路変更部１８、第２光路変更部２１に相当するものを、各ヘッドのキャリッジ４の進行方向の前後に設ける。これによって、キャリッジ４がどの方向に移動してもインク吐出後に紫外線を照射できる。ヘッド間に配置された光路変更部８０に照射された紫外線は、キャリッジ４の進行方向と両隣のヘッドのインク吐出動作に対応して紫外線を照射することになる。すなわちキャリッジ４の進行方向に対して、前方にあるヘッドの吐出動作に対応して紫外線を照射することになる。光路変更部８０は夫々の紫外線の受光部が、光源部１５からの紫外線を夫々の光路変更部８０によって遮らないように段違いに配置されている。このような構成によって、きめ細かい紫外線照射制御が可能である。各ヘッドによって吐出されたインクと紫外線照射位置との距離が、どのヘッドでも同じになる。インクの粘土はどのインクでもほぼ同じなので、硬化開始までの時間が同じであればインク色の違いがあっても画質が均一になる。
【００４１】
図８は、紫外線照射装置の光源部分の他の例を示す概略図である。
光源部１５に、紫外線光源に水銀ランプ、メタルハライドランプなどの紫外線ランプ９０を使用する場合の例である。リフレクタ９１によって照射方向を制御する。紫外線ランプ９０を用いると熱が発生するので、放熱手段が必要になる。この放熱手段の例として、フィン９４を光源部１５の外周に設けてある。紫外線ランプ９０によって発生した光を平行光変更手段９２に入射し、平行光を出力する。第１シャッタ９５は第１光路変更部１８に照射するか否かを制御する。すなわち第１光路変更部１８に照射する場合は第１シャッタ９５を開き、照射しない場合は第１シャッタ９５を閉じる。同様に、第２シャッタ９６は第２光路変更部２１に照射するか否かを制御する。
【００４２】
第１シャッタ９５は、制御回路５０によって制御される第１シャッタ駆動回路９７によって駆動される。第２シャッタ９６は、制御回路５０によって制御される第２シャッタ駆動回路９８によって駆動される。
【００４３】
第１光路変更部１８に照射する光と、第２光路変更部２１に照射する光が夫々交わらないように遮蔽部９９を光源部１５内に設ける。
【００４４】
平行光変更手段９２は紫外線を通過させそれ以外の光を遮断するフィルタを具備することが好ましい。これによって、平行光変更手段９２からは主に紫外線が照射され、赤外線が遮断され、キャリッジ４に搭載されている物の加熱を防止できる。
【００４５】
図９は、光路に光ファイバを使用した例を示す概略図である。
光源部１５からキャリッジ４までの紫外線の光路に光ファイバ１０１を用いた例である。光ファイバ１０１を用いることで、光源部１５からキャリッジ４までの間に発生する光の損失が軽減できる。この場合も光源部１５によって予め紫外線の照射位置と量を制御し、その制御された紫外線を光ファイバ１０１を介して記録媒体２７に照射している。光ファイバ入光部１００は照射位置毎に分かれている。
【００４６】
紫外線は光ファイバ入光部１００によって集光されて光ファイバ１０１に入る。光ファイバ１０１は、キャリッジ４に搭載された第１照射部１０２と第２照射部１０３に接続され、夫々の照射部から紫外線が照射される。この場合、紫外線照射部が第１照射部１０２と第２照射部１０３である。
【産業上の利用可能性】
【００４７】
本発明は、紫外線硬化型のインクを吐出するプリンタに適用できる。
【符号の説明】
【００４８】
１  インクジェットプリンタ
３  プリンタ
４  キャリッジ
８  リニアスケール
１５  光源部
１８  第１光路変更部
２１  第２光路変更部
２６  エンコーダ
２７  記録媒体
５０  制御回路
５５  第１ＬＥＤ群
５６  第２ＬＥＤ群
９０  紫外線ランプ
１０１  光ファイバ
【図１】
2011126268.tif 000003
【図２】
2011126268.tif 000004
【図３】
2011126268.tif 000005
【図４】
2011126268.tif 000006
【図５】
2011126268.tif 000007
【図６】
2011126268.tif 000008
【図７】
2011126268.tif 000009
【図８】
2011126268.tif 000010
【図９】
2011126268.tif 000011